(57)【要約】      （修正有）【課題】写真や絵柄等を印刷した場合に目視面での弊害を排除することが可能な電子ペン用印刷物を提供する。【解決手段】調査シート３は、通常印刷情報が印刷された上層部及びドットパターンが印刷された下層部の二層構造となっている。さらに、調査シート３の上層部は、下層部から剥離可能となっている。このような上層部を剥離すると、下層部のドットパターンが表出する。よって、利用者は、上層部を剥離してドットパターンを表出させた下層部に、電子ペンを使用して記入を行うことになる。これによれば、通常印刷情報とドットパターンとを二層に分離しているため、ドットパターンにより文字、罫線、絵柄、写真等が暗く、沈んだ傾向になるといった問題を解消することができる。換言すると、ドットパターンと通常印刷情報とが重なって印刷されることによる視認性及びイメージの悪さを解決することができる。【選択図】図９
2007062077.tif 000002
【特許請求の範囲】
【請求項１】
インクペンユニット及び光学的にドットパターンを読み取る読取ユニットを備える電子ペンにより記入される電子ペン用印刷物であって、
上面に通常印刷情報が印刷された上層部及び上面に前記ドットパターンが印刷された下層部の二層構造となっており、
前記上層部は、前記下層部から剥離可能であることを特徴とする電子ペン用印刷物。
【請求項２】
前記上層部の一部はハーフカット加工が施されており、
前記ハーフカット加工が施された部分が前記下層部から剥離可能であることを特徴とする請求項１に記載の電子ペン用印刷物。
【請求項３】
前記上層部の上面に印刷された通常印刷情報と、前記下層部の上面に印刷されたドットパターンの位置座標とが対応付けられていることを特徴とする請求項１又は２に記載の電子ペン用印刷物。
【請求項４】
前記上層部の裏面は、粘着加工されており、
前記下層部から剥離した上層部をシール化することを特徴とする請求項１乃至３のいずれか一項に記載の電子ペン用印刷物。
【請求項５】
前記通常印刷情報は、カーボンを含まないインキにより、前記上層部の上面に印刷されており、
前記ドットパターンは、前記電子ペンが読み取り可能なカーボンを含む専用インキにより、前記下層部の上面に印刷されていることを特徴とする請求項１乃至４のいずれか一項に記載の電子ペン用印刷物。
【発明の詳細な説明】
【技術分野】
【０００１】
本発明は、電子ペンにより記入される電子ペン用印刷物の構造に関する。
【背景技術】
【０００２】
近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている。アノトペンは、所定のドットパターンが印刷された専用紙（以下、「専用ペーパー」とも呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像をチェックしたりすると、ペンの移動に伴って小型カメラが専用紙上のドットパターンを検出し、利用者が書き込んだ文字、画像などの記入情報（「ストロークデータ」ともいう）が取得される。この記入情報が、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。
【０００３】
しかし、従来の専用紙では、ドットパターン上に商品や製品の写真画像をレイアウトした場合、墨インキで印刷されているドットパターンにより写真画像が暗く、沈んだ傾向となる。そのため、専用紙で作成したカタログ等は、商品や製品のイメージを悪化させるといった問題が生じていた。
【０００４】
このような問題を解消する方法として、ドットパターンと、商品や製品の写真画像とを専用紙において離してレイアウトすることが考えられる。しかし、この方法では、スペース面の制約があると共に、電子ペンが認識するために必要であって、直接商品や製品とは無関係なドットパターンがかえって目立つこととなっていた。
【０００５】
なお、本発明の構造面に関する類似技術として特許文献１が挙げられる。しかし、特許文献１は、単に月別カレンダーの一部をシール形状とし、当該シール形状を剥がすことで覆い隠されていた部分の写真や絵柄が表出するものであり、本発明とは目的や用途が全く異なっている。
【０００６】
【特許文献１】登実３０５５２５９号公報
【発明の開示】
【発明が解決しようとする課題】
【０００７】
本発明は、以上の点に鑑みてなされたものであり、通常印刷情報が印刷された上層部及びドットパターンが印刷された下層部の二層構造とし、当該上層部の一部にハーフカット加工を施すことで、写真や絵柄等を印刷した場合に目視面での弊害を排除することが可能な電子ペン用印刷物を提供することを課題とする。
【課題を解決するための手段】
【０００８】
本発明の１つの観点では、インクペンユニット及び光学的にドットパターンを読み取る読取ユニットを備える電子ペンにより記入される電子ペン用印刷物であって、上面に通常印刷情報が印刷された上層部及び上面に前記ドットパターンが印刷された下層部の二層構造となっており、前記上層部は、前記下層部から剥離可能である。
【０００９】
上記のように構成された電子ペン用印刷物は、通常印刷情報が印刷された上層部及びドットパターンが印刷された下層部の二層構造となっている。ここで、電子ペン用印刷物とは、例えば、申込書や調査シートといった帳票のことである。電子ペンは、電子ペン用印刷物に記入したストロークデータ等を電子データとして取得することができる。また、通常印刷情報とは、電子ペン用印刷物を構成する文字、罫線、絵柄、写真等の情報である。さらに、電子ペン用印刷物の上層部は、下層部から剥離可能となっている。このような上層部を剥離すると、下層部のドットパターンが表出する。つまり、利用者は、上層部を剥離してドットパターンを表出させた下層部に、電子ペンを使用して記入を行う。これによれば、通常印刷情報とドットパターンとを二層に分離しているため、ドットパターンにより文字、罫線、絵柄、写真等が暗く、沈んだ傾向になるといった問題を解消することができる。換言すると、ドットパターンと通常印刷情報とが重なって印刷されることによる視認性及びイメージの悪さを解決することができる。
【００１０】
上記電子ペン用印刷物の一態様では、前記上層部の一部はハーフカット加工が施されており、前記ハーフカット加工が施された部分が前記下層部から剥離可能である。つまり、上層部において、任意に設定した項目にあたる部分を剥離し、下層部のドットパターンを表出させるように設定することができる。これによれば、利用者により選択された項目のみ、二層構造の上層部を剥離してドットパターンを表出させることができる。よって、電子ペンによる処理は利用自身にさせる必要がなく、事後に代表者が複数の利用者が使用した印刷物をまとめて処理することも可能となる。
【００１１】
上記電子ペン用印刷物の他の一態様では、前記上層部の上面に印刷された通常印刷情報と、前記下層部の上面に印刷されたドットパターンの位置座標とが対応付けられている。具体的には、上層部に印刷された通常印刷情報と、当該通常印刷情報が印刷された部分を剥離した際に表出するドットパターンの位置座標とが対応付けされている。例えば、電子ペン用印刷物が複数の項目から構成されている場合、当該項目にあたる上層部上面には通常印刷情報として商品の写真等が印刷される。利用者は、当該商品を購入する場合に、上層部上面を剥離することで表出したドットパターンに、電子ペンを使用して購入個数を記入する。本発明の電子ペン用印刷物は、当該商品と、ドットパターン上の位置座標とが対応付けされているため、サーバ等は、電子ペンから取得した記入情報に基づいて、当該商品と購入個数を容易に関連付けることができる。
【００１２】
上記電子ペン用印刷物のさらに他の一態様では、前記上層部の裏面は、粘着加工されており、前記下層部から剥離した上層部をシール化する。これによれば、剥離した上層部をシール化、ラベル化することで、他の印刷物に二次利用することが可能となる。
【００１３】
上記電子ペン用印刷物のさらに他の一態様では、前記通常印刷情報は、カーボンを含まないインキにより、前記上層部の上面に印刷されており、前記ドットパターンは、前記電子ペンが読み取り可能なカーボンを含む専用インキにより、前記下層部の上面に印刷されている。電子ペンは、専用インキによるパターンのみを認識することができる。つまり、カーボンを含む専用インキにより印刷されているため、電子ペンは、電子ペン用印刷物において上層部を剥離することにより表出するドットパターン上に記入をすることで、当該ドットパターンを読み取ることができる。換言すると、電子ペンは、上層部に印刷された通常印刷情報上に記入をしたとしても、記入内容を電子データとして読み取ることはできない。
【発明の効果】
【００１４】
本発明によれば、通常印刷情報が印刷された上層部及びドットパターンが印刷された下層部の二層構造であって、当該上層部の一部をハーフカット加工した電子ペン用印刷物により、写真や淡色の絵柄の見映えが悪いといった目視面での弊害を排除することができる。
【発明を実施するための最良の形態】
【００１５】
以下、図面を参照して本発明の好適な実施の形態について説明する。まず、本発明のシステムにおいて入力デバイスとして使用される電子ペンの概要について説明する。
【００１６】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００１７】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００１８】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００１９】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００２０】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００２１】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００２２】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００２３】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。
【００２４】
バッテリー１４は電子ペン１０内の各要素に電源供給するためのものであり、例えば電子ペンのキャップ（図示せず）により電子ペン１０自体の電源のオン／オフを行うことができる。
【００２５】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００２６】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００２７】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００２８】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００２９】
次に、電子ペンにより利用者が記述した内容のＸ／Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００３０】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を作成する際は、専用インキ以外のインキで入力枠や罫線、注意書きなどを印刷する。
【００３１】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００３２】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００３３】
なお、本発明では、専用ペーパー２０である電子ペン用印刷物は、図案３４等が印刷された上層部及びドットパターンが印刷された下層部の二層構造であって、上層部を下層部から剥離することによりドットパターンが表出する構造となっている。本発明の電子ペン用印刷物について、詳細は後述する。
【００３４】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００３５】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００３６】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００３７】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００３８】
このように、ドットパターンを印刷した専用ペーパー上に所定の図案を印刷することにより、専用ペーパーを利用した各種申込書が作成できる。利用者は電子ペン１０を使用して通常の要領で必要事項を記入すれば、その電子データが自動的に取得される。
【００３９】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００４０】
なお、本明細書においては、「印刷」の語は、通常の印刷のみならず、プリンタによるプリントも含む概念とする。
【００４１】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入情報を受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入情報をそのサービスサーバ２７へ送信することになる。ここで、記入情報は、ストロークデータのみならず、上述の時間情報及びプロパティ情報も含むこととしてもよい。
【００４２】
なお、上記の例では端末装置２５、問い合わせサーバ２６及びサービスサーバ２７が別個に構成されているが、これらの幾つか又は全てを１つの装置として構成することも可能である。本実施形態において、後述するサーバは、問い合わせサーバ２６及びサービスサーバ２７を兼ねているものとする。
【００４３】
[記入情報処理システム]
次に、本発明における記入情報処理システムについて説明する。図７に記入情報処理システム１００の概略構成を示す。図７に示す記入情報処理システム１００は、通常印刷情報が印刷された上層部及びドットパターンが印刷された下層部の二層構造であって、上層部の一部にハーフカット（半抜き）加工が施されている電子ペン用印刷物に、電子ペン１０を使用して記入した記入情報を処理するシステムである。ここで、上層部の通常印刷情報は、上述の専用インキ以外のインキ（カーボンを含まない）により印刷されている。一方、下層部のドットパターンは、上述のカーボンを含む専用インキにより印刷されている。
【００４４】
なお、本実施形態において電子ペン用印刷物とは調査シート３である。ここで、調査シート３とは、図８に示すような川の生き物を調査する専用ペーパーであり、記入情報処理システム１００は、電子ペン１０による調査シート３への記入情報に基づいて、生き物の数を集計するものとする。
【００４５】
図７に示すように、記入情報処理システム１００は、端末装置２５及びサーバ５がネットワーク２を通じて接続されることにより構成される。ここで、ネットワーク２の１つの好適な例はインターネットである。また、端末装置２５とは、調査シート３に記入された記入情報を、電子ペン１０から受信し、サーバ５へ送信する端末である。具体的に、端末装置２５は、ネットワーク２を介したデータの授受が可能なＰＣ（Personal Computer）、ＰＤＡ（Personal Digital Assistants）、携帯電話等である。また、サーバ５は、端末装置２５を介して電子ペン１０から受信した記入情報に基づいて、利用者が調査した生き物の数を集計する処理等を実行するものであり、調査結果データベース（以下、「ＤＢ」と呼ぶ。）６に接続されている。
【００４６】
まず、図８を参照し、本システムにおいて調査シート３に記入された情報が処理される方法の概要を述べておく。図８は、利用者が電子ペン１０を使用して記入する調査シート３の例である。調査シート３は、詳細は後述するが、文字、罫線、絵柄、写真画像等が印刷された上層部及びドットパターンが印刷された下層部の二層構造となっており、上層部の一部にハーフカット加工が施された電子ペン用印刷物である。なお、調査シート３は、ハーフカット加工により、上層部の一部を下層部から剥離することができる。また、上層部の一部を剥離することで、下層部上面に印刷されたドットパターンが表出することになる。
【００４７】
具体的に、調査シート３は、川の生き物の写真画像が印刷されためだか項目５１ａ、たがめ項目５２ａ及びかに項目５３ａと、生息項目５４及び非生息項目５５と、調査地域項目５６とから構成されている。ここで、めだか項目５１ａ、たがめ項目５２ａ及びかに項目５３ａに対応する上層部にはハーフカット加工が施されており、下層部から剥離可能となっている。また、上層部の裏面には粘着加工が施されており、剥離した上層部はシールとして利用することが可能となっている。調査シート３は、上層部及び下層部の二層構造になっているため、上層部のめだか項目５１ａ、たがめ項目５２ａ及びかに項目５３ａを剥離すると、図８（ｂ）に示すように下層部のドットパターンが表出する。図示のように、下層部のドットパターン上には、剥離した上層部の生き物の名称が印刷されている。
【００４８】
利用者は、川の生き物を調査し、発見できた生き物に対応する項目のシールを生息項目５４に、発見できなかった生き物に対応するシールを非生息項目５５に貼付する。具体的に、たがめを４匹発見した場合、利用者は、調査シート３のたがめ項目５２ａを剥離して生息項目５４に貼付する。さらに、利用者は、電子ペン１０を使用してドットパターンが表出したたがめ項目５２ｂに、発見したたがめの数「４」を記入する。また、めだかを発見できなかった場合、利用者は、調査シート３のめだか項目５１ａを剥離して非生息項目５５に貼付する。さらに、利用者は、電子ペン１０を使用してドットパターンが表出しためだか項目５１ｂに「０」を記入する。なお、かに項目５３についても同様である。
【００４９】
そして、利用者は、図８（ｂ）に示すように、調査地域として小学校名を記入すると共に、電子ペン１０を使用して調査地域項目５６に小学校を識別する小学校ＩＤを記入する。なお、調査地域項目５６に対応する上層部はすでに剥離しており、下層部のドットパターンが最初から表出しているものとする。また、調査地域項目５６の小学校ＩＤは、電子ペン１０により記入される必要があるが、小学校名は、電子ペン１０が認識する必要はないため通常のペンにより記入されることとしてもよい。
【００５０】
このようにして、利用者は、川の生き物を調査した結果に基づいて、調査シート３への記入を行う。なお、図示されていないが、調査シート３は、上述のような送信ボックス３９を有しているものとする。
【００５１】
一方、電子ペン１０は、当該調査シート３に記入された内容に対応するストロークデータを取得し、電子ペン１０内のメモリ１２に一時的に記憶した後、送信ボックス３９にチェックマークが記入されたタイミングで、当該ストロークデータを端末装置２５へ送信する。端末装置２５は、電子ペン１０からストロークデータを受信し、ネットワーク２を通じてサーバ５へ送信する。このようにして、サーバ５は、ストロークデータを利用者が調査シート３に対して記入した情報を示す記入情報として取得する。
【００５２】
なお、本実施形態では、各利用者はそれぞれ１本ずつ電子ペン１０を保有しており、自身の電子ペン１０を使用して調査シート３への記入を行うものとする。つまり、サーバ５は、記入情報に含まれるペンＩＤにより各利用者を特定することができるものとする。
【００５３】
電子ペン１０から記入情報を取得したサーバ５は、当該記入情報に含まれるペンＩＤを特定する。さらに、サーバ５は、調査シート３においてめだか項目５１ｂ、たがめ項目５２ｂ、かに項目５３ｂ及び調査地域項目５６に対応するドットパターン上の位置座標に基づいて、記入情報から各項目に記入された項目記入情報を抽出する。具体的に、サーバ５は、めだか項目５１ｂ、たがめ項目５２ｂ及びかに項目５３ｂに記入された項目記入情報に基づいて、めだか、たがめ及びかにの数を特定する。また、サーバ５は、調査地域項目５６に記入された項目記入情報に基づいて、小学校ＩＤ、小学校名及び地域を特定する。そして、サーバ５は、特定したペンＩＤをキーとして、めだか、たがめ及びかにの数と、地域とを対応付けて調査結果ＤＢ６に記憶、管理する。つまり、サーバ５は、調査結果ＤＢ６に記憶された情報に基づいて、各地域の川の生き物の数を容易に集計することができる。
【００５４】
[調査シート]
次に、図９を参照して、調査シート３の構造について詳しく説明する。図９は、調査シート３の断面図である。
【００５５】
調査シート３は、図９（ａ）に示すように、上面に通常印刷情報が印刷された上層部と上面にドットパターンが印刷された下層部の二層構造となっている。また、上層部の一部はハーフカット加工が施されており、下層部から剥離することが可能である。ハーフカット加工を施す部分は任意に設定することができる。ここで、通常印刷情報は、具体的に、調査シート３を構成する文字、罫線、絵柄、写真画像等のことであり、上述の専用インキ以外のインキ（カーボンを含まない）により印刷されている。また、ドットパターンは、電子ペン１０が読取可能な位置情報を有しており、上述の専用インキ（カーボンを含む）により印刷されている。
【００５６】
利用者は、電子ペン１０を使用して記入を行う場合、図９（ｂ）に示すように、ハーフカット加工が施された上層部を剥離することにより、下層部に印刷されたドットパターンを表出させる。剥離可能な上層部に印刷された通常印刷情報と、剥離された下層部に印刷されたドットパターン上の位置座標とは予め後述する座標テーブル等により関連付けがされている。なお、剥離した上層部の裏面には粘着加工が施されており、当該上層部はシールとして再利用できる。即ち、剥離した上層部を、印刷絵柄シールとして利用することができる。
【００５７】
このように構成された調査シート３、即ち電子ペン用印刷物は、電子ペン１０が認識するために必要なドットパターンを有すると共に、目視的に制約のない印刷絵柄を有している。そのため、特に、写真表示が必要な情報（調査シート３における生き物等）を電子ペン１０で選択させる場合、本発明によれば、写真や絵柄の再現性を損なうことなくドットパターンを配置することができる。
【００５８】
さらに、選択された項目のみ、二層構造の上層部を剥離することでドットパターンを表出させる。そのため、電子ペン１０による処理は利用者自身に処理させる必要がなく、事後に複数の利用者が任意の上層部を剥離した電子ペン用印刷物をまとめて処理することも可能となる。また、剥離する上層部をシール化、ラベル化することで、他の印刷物に二次利用することも可能となる。
【００５９】
[サーバ]
次に、サーバ５について詳しく説明する。図１０は、記入情報処理システム１００における、特にサーバ５の内部構成を示す。図示のように、サーバ５は、記入情報処理プログラム１０１、記入情報取得機能１０２、ペンＩＤ特定機能１０３、座標テーブル１０４、項目記入情報抽出機能１０５、小学校テーブル１０６、項目内容特定機能１０７及び調査結果ＤＢ記憶機能１０８から構成されている。なお、各機能は、サーバ５が有するＣＰＵが予め用意されたプログラムを実行することにより実現される。
【００６０】
記入情報処理プログラム１０１は、調査シート３に記入された情報に基づいて、ペンＩＤ及び調査結果を特定し、調査結果ＤＢ６に記憶するプログラムである。
【００６１】
記入情報取得機能１０２は、記入情報処理プログラム１０１を実行することにより、利用者が電子ペン１０を使用して記入シート３に記入した記入情報を取得する機能である。
【００６２】
ペンＩＤ特定機能１０３は、記入情報取得機能１０２が取得した記入情報に含まれるペンＩＤを特定する機能である。なお、本実施形態では、各利用者は１本ずつ電子ペン１０を保有している。よって、電子ペン１０を識別するペンＩＤは、利用者を識別する情報と擬制することができる。
【００６３】
座標テーブル１０４は、図１１に示すように、項目ＩＤ、項目名及び座標データから構成されている。図１１は、座標テーブル１０４のデータ構造を模式的に示す図である。ここで、項目ＩＤは、調査シート３を構成し、電子ペン１０により記入が行われる各項目を識別する情報である。具体的に、図８（ｂ）に示すように、調査シート３上のめだか項目５１、たがめ項目５２、かに項目５３及び調査地域項目５６には、それぞれ項目ＩＤ「Ｋ０１」、「Ｋ０２」、「Ｋ０３」及び「Ｋ０４」が割り当てられている。また、項目名は、項目ＩＤが示す項目の名称である。また、座標データは、各項目のドットパターン上の位置座標を示す情報である。このように、座標テーブル１０４は、項目ＩＤをキーとして、各項目の名称と、調査シート３上における各項目のドットパターン上の位置座標とを記憶している。
【００６４】
項目記入情報抽出機能１０５は、記入情報取得機能１０２が取得した記入情報から、座標テーブル１０４に基づいて、各項目に記入された項目記入情報を抽出する機能である。
【００６５】
項目内容特定機能１０６は、項目記入情報抽出機能１０５が抽出した項目記入情報に基づいてＯＣＲ（Optical Character Reader）処理等により、各項目に記入された内容を特定する機能である。具体的に、項目内容特定機能１０６は、地域特定機能及び数特定機能を有している。
【００６６】
地域特定機能は、まず、調査地域項目５６に記入された項目記入情報に基づいてＯＣＲ処理により、小学校ＩＤを特定する機能である。また、地域特定機能は、特定した小学校ＩＤに基づいて、図１２に示すような小学校テーブル１０６を参照することにより小学校名及び地域を特定する機能である。図１２は、小学校テーブル１０６のデータ構造を模式的に示す図である。図示のように、小学校テーブル１０６は、小学校ＩＤ、小学校名及び地域から構成されている。ここで、小学校ＩＤは、利用者が所属する小学校を識別する情報である。また、小学校名は、小学校ＩＤが示す小学校の名称である。また、地域は、小学校ＩＤが示す小学校が所在する地域である。このように、小学校テーブル１０６は、小学校ＩＤをキーとして、各小学校の名称と所在地域を記憶している。よって、項目内容特定機能１０６は、項目記入情報に基づいて特定した小学校ＩＤと、図示のような小学校テーブル１０６とにより小学校名及び地域を特定することができる。
【００６７】
数特定機能は、めだか項目５１ｂ、たがめ項目５２ｂ及びかに項目５３ｂにそれぞれ記入された項目記入情報に基づいてＯＣＲ処理により、各生き物の数を特定する機能である。
【００６８】
調査結果ＤＢ記憶機能１０８は、ペンＩＤ特定機能１０３が特定したペンＩＤをキーとして、項目内容特定機能１０７が特定した地域及び各生き物の数を、図１３に示すような調査結果ＤＢ６に記憶する機能である。図１３は、調査結果ＤＢ６のデータ構造を模式的に示す図である。サーバ５は、調査結果ＤＢ６に記憶された情報により、容易に地域毎の生き物の数を集計することができる。
【００６９】
[記入情報処理]
次に、記入情報処理システム１００により実行される記入情報処理について説明する。図１４は、記入情報処理のフローチャートである。
【００７０】
まず、利用者は、川の生き物を調査し、図８（ａ）に示すような調査シート３において、発見できた生き物に対応する項目の上層部を剥離する。具体的には、剥離した上層部をシールとして利用し、生息項目５４に貼付する。さらに、利用者は、上層部を剥離することでドットパターンが表出した項目に、電子ペン１０を使用して発見した生き物の数を記入する。
【００７１】
また、利用者は、調査シート３において、発見できなかった生き物に対応する項目の上層部を剥離する。具体的には、剥離した上層部をシールとして利用し、非生息項目５５に貼付する。さらに、利用者は、上層部を剥離することでドットパターンが表出した項目に、電子ペン１０を使用して「０」を記入する。
【００７２】
さらに、利用者は、調査地域として小学校名を記入すると共に、電子ペン１０を使用して調査地域項目５６に小学校を識別する小学校ＩＤを記入する。調査シート３への記入が完了すると、利用者は、電子ペン１０を使用して送信ボックス３９にチェックマークを記入する。
【００７３】
このとき、電子ペン１０は、調査シート３に記入された内容に対応するストロークデータを取得し、電子ペン１０内のメモリ１２に一時的に記憶した後、送信項目３９にチェックマークが記入されたタイミングで、当該ストロークデータを端末装置２５へ送信する。端末装置２５は、電子ペン１０からストロークデータを受信し、ネットワーク２を通じてサーバ５へ送信する。このようにして、サーバ５は、ストロークデータを、利用者が調査シート３に記入した情報を示す記入情報として取得する（ステップＳ１）。
【００７４】
電子ペン１０から記入情報を取得したサーバ５は、当該記入情報に基づいてペンＩＤを特定する（ステップＳ２）。また、サーバ５は、座標テーブル１０４を参照することにより、記入情報から各項目に記入された項目記入情報を抽出する（ステップＳ３）。そして、サーバ５は、調査地域項目５６に記入された項目記入情報に基づいてＯＣＲ処理等により、小学校ＩＤを特定する（ステップＳ４）。さらに、サーバ５は、特定した小学校ＩＤに基づいて小学校テーブル１０６を参照することにより、小学校の名称と地域を特定する（ステップＳ５）。また、サーバ５は、めだか項目５１ｂ、たがめ項目５２ｂ及びかに項目５３ｂにそれぞれ記入された項目記入情報に基づいてＯＣＲ処理等により、めだか、たがめ及びかにの数を特定する（ステップＳ６）。そして、サーバ５は、特定したペンＩＤに基づいて、特定した生き物の数及び地域を、図１３に示すような調査結果ＤＢ６に記憶する（ステップＳ７）。これにより、記入情報処理は完了する。このように、特定した生き物と地域を調査結果ＤＢ６に記憶し、管理することで、サーバ５は、容易に地域毎の生き物の集計を行うことができる。
【００７５】
なお、本実施形態では、各利用者がそれぞれ１本ずつ電子ペン１０を保有しており、各調査シート３に記入された記入情報を利用者毎に区別しているが、本発明はこれに限定されるものではない。例えば、川の生き物ののべ発見数を集計したい場合には、記入情報を利用者毎に区別する必要はないため、１本の電子ペン１０を複数の利用者が使いまわすこととしてもよい。この場合、全ての利用者が調査シート３への記入を完了した後に電子ペン１０に記憶された記入情報を送信することで、複数の利用者の調査結果である記入情報をまとめて一括で送信することができる。
【００７６】
また、本実施形態では、川の生き物を調査する調査シート３を例に説明しているが、本発明はこれに限定されるものではなく、電子ペン１０により記入を行う任意の印刷物に適用することができる。即ち、電子ペン１０により記入を行う任意の印刷物を、図９に示すような二層構造とすることにより、本発明を適用することができる。特に、写真絵柄等プロセス印刷絵柄を有する各種印刷物に適用することで、目視面の弊害を排除するという本発明のメリットを効果的に発揮することができる。
【００７７】
このように本発明によれば、調査シート３、即ち電子ペン用印刷物は、上面に通常印刷情報が印刷された上層部及び上面にドットパターンが印刷された下層部の二層構造になっており、上層部の一部がハーフカット加工により下層部から剥離可能となっている。つまり、通常印刷情報とドットパターンとを二層に分離しているため、ドットパターンにより文字、罫線、絵柄、写真等が暗く、沈んだ傾向になるといった問題を解消することができる。換言すると、ドットパターンと通常印刷情報とが重なって印刷されることによる視認性及びイメージの悪さを解決することができる。
【００７８】
また、本発明によれば、選択された項目のみ二層構造の上層部が剥離されてドットパターンが表出した状態となるため、電子ペン１０による処理は利用自身にさせる必要がなく、事後に代表者が複数の利用者が処理した印刷物をまとめて処理することが可能となる。また、剥離した上層部をシール化、ラベル化することで、他の印刷物に二次利用することが可能となる。
【産業上の利用可能性】
【００７９】
本発明の電子ペン用印刷物は、電子ペンにより記入を行う各種印刷物に利用することができる。
【図面の簡単な説明】
【００８０】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】本発明における記入情報処理システムの概略構成を示す図である。
【図８】電子ペン用印刷物である調査シートの例である。
【図９】電子ペン用印刷物の断面図である。
【図１０】記入情報処理システムに含まれるサーバの機能ブロック図である。
【図１１】座標テーブルのデータ構造を模式的に示す図である。
【図１２】小学校テーブルのデータ構造を模式的に示す図である。
【図１３】調査結果ＤＢのデータ構造を模式的に示す図である。
【図１４】本発明における記入情報処理のフローチャートである。
【符号の説明】
【００８１】
２…ネットワーク
３…調査シート
５…サーバ
６…調査結果ＤＢ
１０…電子ペン
１１…プロセッサ
１２…メモリ
１３…データ通信ユニット
１４…バッテリー
２５…端末装置
２６…問い合わせサーバ
２７…サービスサーバ
１００…記入情報処理システム
【図１】
2007062077.tif 000003
【図２】
2007062077.tif 000004
【図３】
2007062077.tif 000005
【図４】
2007062077.tif 000006
【図５】
2007062077.tif 000007
【図６】
2007062077.tif 000008
【図７】
2007062077.tif 000009
【図８】
2007062077.tif 000010
【図９】
2007062077.tif 000011
【図１０】
2007062077.tif 000012
【図１１】
2007062077.tif 000013
【図１２】
2007062077.tif 000014
【図１３】
2007062077.tif 000015
【図１４】
2007062077.tif 000016